(57)【要約】【課題】回動遊技機の操作部に対する不正行為を防止する。操作部の操作性を高めると共に、構造を簡単にし、経済性を高める。【解決手段】回動式遊技機におけるスタートスイッチ、ストップスイッチなどの操作スイッチ２０Ａ〜２０Ｅを、開封した場合に痕跡が残る密閉ケース１０内に、ケース外から操作できるように封入する。操作スイッチ２０Ａ〜２０Ｅと共に、前記操作スイッチ用の基板３０をも密閉ケース１０内に封入する。【選択図】図１
2008183189.tif 000002
【特許請求の範囲】
【請求項１】
回動式遊技機におけるスタートスイッチ、ストップスイッチなどの操作スイッチが、開封した場合に痕跡が残る密閉ケース内にケース外から操作できるように封入されており、且つ、前記操作スイッチ用の基板が前記密閉ケース内に封入されていることを特徴とする遊技機用操作ユニット。
【請求項２】
請求項１に記載の遊技機用操作ユニットにおいて、前記密閉ケース内の基板を制御用主基板と接続するための単一のコネクタを有する遊技機用操作ユニット。
【請求項３】
請求項１に記載の遊技機用基板ユニットにおいて、クレジット数、払出数などを表示する表示手段が、前記操作スイッチと共に、前記密閉ケース内にケース外から視認できるように密封されている遊技機用操作ユニット。
【請求項４】
請求項３に記載の遊技機用ユニットにおいて、前記表示手段は前記基板に実装されている遊技機用操作ユニット。
【請求項５】
請求項１に記載の遊技機用操作ユニットにおいて、操作スイッチは一端側をヒンジ軸により支持された傾動式の押し込みスイッチであり、且つ複数の押し込みスイッチがヒンジ軸を共用するべく横に並列する構成である遊技機用操作ユニット。
【請求項６】
請求項１に記載の遊技機用操作ユニットにおいて、２つの操作スイッチは一端側をヒンジ軸により支持された傾動式の押し込みスイッチであり、且つ一方のスイッチが他方のスイッチを包囲するべくＵ字状に形成されてヒンジ軸を共用する２段構成である遊技機用操作ユニット。
【請求項７】
請求項５又は６に記載の遊技機用操作ユニットにおいて、押し込みスイッチは磁気吸着力又は反発力により原点復帰する構成である遊技機用操作ユニット。
【発明の詳細な説明】
【技術分野】
【０００１】
本発明は、パチスロ機と呼ばれる回胴式遊技機に使用される操作ユニットに関し、より詳しくは、操作部に対する不正行為を防止するのに有効な操作ユニットに関する。
【背景技術】
【０００２】
近年、パチンコ機だけではなく、パチスロ機と称される回胴式遊技機を用いた遊技が、従来のパチンコホールやパチスロ専用ホールで盛んに行われている。これらの遊技機においては、制御用の主基板に搭載されたＲＯＭ内の情報により当選確率等が支配される。このため、制御用の主基板に対するセキュリティの確保が、機種を問わず重大な技術課題になっている。
【０００３】
すなわち、この種の遊技機においては、機器内を頻繁に操作する必要から、前扉により前面が開閉されるため、機器内の制御用主基板は否が応にも人目に曝されることになる。このため、制御用主基板の改造（ＲＯＭの付け替えなど）といった不正行為が後を絶たず、これに対処するために、制御用主基板の取付け装置に対しては、不正改造を阻止するための様々な工夫が講じられている（特許文献１）。
【０００４】
【特許文献１】特開２００１−１７０２５５号公報
【０００５】
しかし、遊技機に対する不正行為は年々高度化、複雑化しており、その行為は制御用主基板に止まらず、ストップスイッチなどの操作部にも及んでいる。具体的には、操作スイッチ用基板の配線コネクタに不正部品を介在させるといった手口が代表的である。
【０００６】
遊技機における主な操作スイッチとしては、メダル投入用のベッドスイッチ、スタートスイッチ、回転ドラムの個数に対応する複数のストップスイッチがある。従来の遊技機においては、これらの操作スイッチは、操作性のよい遊技機正面の中段部分に配置されているが、機構的にはそれぞれが独立しており、また改造等の不正行為に対してはこれといった対策を持ち合わせていない。
【０００７】
例えば、ベッドスイッチ及びスタートスイッチは中段部に形成された棚状操作部の上面にメダル投入口などと共に設けられている。複数個のストップスイッチはユニット化されている場合が多く、そのユニットは前記棚状操作部の正面又は上面に設けられている。これらの操作スイッチは、それそれぞれ専用の基板をもち、それぞれ専用のコネクタ、配線を介して制御用主基板と接続される。
【０００８】
制御用主基板のセキュリティ度は年々高まっており、これに対する不正改造は困難になってきている。これに対し、操作部のセキュリティ度は低い。具体的には、操作スイッチの裏側は配線、コネクタがむき出しであり、不正部品を介在させることはそれほど困難ではなく、しかも配線群、コネクタの数は多い。このために、操作部に対する不正行為が急増している。
【発明の開示】
【発明が解決しようとする課題】
【０００９】
本発明の目的は、不正行為を実質的に行うことができないセキュリティ度の高い遊技機用操作ユニットを提供することにある。本発明の別の目的は、操作性に優れた遊技機用操作ユニットを提供することにある。本発明の更に別の目的は、構造が簡単で経済性が高い遊技機用操作ユニットを提供することにある。
【課題を解決するための手段】
【００１０】
上記目的を達成するために、本発明の遊技機用操作ユニットは、回動式遊技機におけるスタートスイッチ、ストップスイッチなどの操作スイッチが、開封した場合に痕跡が残る密閉ケース内にケース外から操作できるように設けられ、且つ、前記操作スイッチ用の基板が前記密閉ケース内に封入された構成を採用する。
【００１１】
これまでの操作スイッチは種類毎にばらばらに分散配置され、しかも裏側の配線、基板等が丸出しで、有効な不正対策を講じられていない。これに対し、本発明の遊技機用操作ユニットにおいては、全ての操作スイッチが１つの密封ケース内に、基板と共にまとめて封入されている。このためスイッチの裏側や配線、基板に対する不正行為が実質的に不可能となる。また、操作スイッチを密封ケース内に集中配置することにより、制御用主基板とのコネクタは一つで済み、これに有効な不正対策を講じることにより、不正対策はより完全になり、しかも対策費用は安価に抑制される。
【００１２】
本発明の遊技機用操作ユニットにおいては、クレジット数、払出数などのを表示する表示手段は、操作スイッチと共に密閉ケース内にケース外から視認できるように設けるのが好ましく、ケース内の基板に実装するのがより好ましい。表示手段を操作スイッチと共に密閉ケース内に設けることにより、不正対策はより完全となり、かつ構成も簡略化され、経済性も向上する。表示手段を前記基板に実装した場合は、構成がより簡単となり経済性も一層向上する。
【００１３】
操作スイッチについては、一端側をヒンジ軸により支持された傾動式の押し込みスイッチとし、複数の押し込みスイッチがヒンジ軸を共用するべく横に並列する構成とするのが好ましい。ヒンジ軸を共用するこの構成は、部品点数が少なく、構造が簡単で経済性に優れる。
【００１４】
また、２つの操作スイッチを一端側がヒンジ軸により支持された傾動式の押し込みスイッチとし、且つ一方のスイッチを他方のスイッチを包囲するべくＵ字状に形成されてヒンジ軸を共用する２段構造が好ましい。この構造も、部品点数が少なく、構造が簡単で経済性に優れる。
【００１５】
傾動式の押し込みスイッチは、磁気吸着力又は反発力により原点復帰する構成が好ましく、磁気吸着力による構成が特に好ましい。磁気力によるとスプリングが不要になり、構造が簡略化される。磁気吸着による場合は、初期の操作力が大きくなるため、ピアノタッチのような独特のクリック感が得られ、商品価値や操作の確実性が上がる。
【発明の効果】
【００１６】
本発明の遊技機用操作ユニットは、回動式遊技機におけるスタートスイッチ、ストップスイッチなどの操作スイッチを、開封した場合に痕跡が残る密閉ケース内に正面から操作できるようにまとめて設けると共に、前記操作スイッチ用の基板をその密閉ケース内に合わせて封入したので、操作スイッチの裏側や配線、基板に対する不正行為を実質不可能にすることができる。また、仮に不正行為が行われたとしてもその痕跡がケースに残るので、これを直ちに発見することができる。これらにより、操作部のセキュリティ度を著しく高めることができる。
【発明を実施するための最良の形態】
【００１７】
以下、本発明の実施形態を図面に基づいて詳細に説明する。図１は本発明の一実施形態を示す遊技機用操作ユニットの全体構造を示す斜視図、図２は同操作ユニットの平面図、図３は同操作ユニットのカバー外した状態の平面図で基板の正面図、図４は同操作ユニットのカバーの底面図、図５は図２中のＡ−Ａ線断面矢示図、図６は図２中のＢ−Ｂ線断面矢示図である。
【００１８】
本実施形態の遊技機用操作ユニットは、スロットルマシンと呼ばれる回動式遊技機の操作部として使用され、より具体的には、遊技機正面の中段部から下段部にかけての部分に操作部として形成された棚状突出部の上面凹部に嵌合されて使用される。この操作ユニットは、図１〜図３に示すように、樹脂からなる角型で横長の密封ケース１０と、密封ケース１０内にケース上面から操作できるように取付けられた複数の操作スイッチ２０Ａ〜２０Ｆと、密封ケース１０内にその内底面に沿って設けられた基板３０とを備えている。基板３０上には、操作に関連する各種電子部品の他に、複数の表示手段４０Ａ〜４０Ｃが実装されている。
【００１９】
密封ケース１０は、長方形の底板１１と、これに被せられられる長方形で浅底のキャップ状カバー１２とを有している。底板１１とカバー１２は、カシメなどにより結合一体化されており、破壊しないと分離できず、破壊された場合はその痕跡が明らかに残る構成になっている。カバー１２の天板部には、操作スイッチ２０Ａ〜２０Ｆの操作部をケース外へ突出させために、各操作部に対応する形状の開口部が設けられると共に、基板３０上の表示手段４０Ａ〜４０Ｃをケース外から視認するために、複数の覗き窓が設けられている。
【００２０】
操作スイッチ２０Ａ〜２０Ｆのうち、操作スイッチ２０Ａ〜２０Ｅはピアノの鍵盤のような角形の傾動式スイッチであり、カバー１２の背面側に傾動可能に取付けられている。操作スイッチＦは角形のプッシュスイッチであり、基板３０の上に実装されている。
【００２１】
操作スイッチ２０Ａ〜２０Ｅは、図４〜図６に示すように、カバー１２内に全幅にわたって、且つ後面に沿って取付けられた共通の支持軸２１（ヒンジ軸）により、傾動可能に支持されている。操作スイッチ２０Ａ〜２０Ｅのうち、操作スイッチ２０Ａは３ベッドスイッチであり、操作スイッチ２０Ｂはスタートスイッチである。これらはケース１０の左側にあり、縦方向に２段に組み合わされている。また、操作スイッチ２０Ｃ〜２０Ｅはストップスイッチであり、ケース１０の中央部から右側端部にかけて横に並んで配置されている。
【００２２】
詳しく説明すると、操作スイッチ２０Ｂは、ケース１０の縦方向の寸法とほぼ同じ長さをもつ略正方形の樹脂成形体であって、内側に操作スイッチ２０Ａが組み合わされる角形の空間を形成するＵ字形に形成されている。そして、開放側の端部が後部の支持軸２１に回動自在に連結されている。操作スイッチ２０Ｂの前部（反支持側部分）は、操作部２２Ｂである。操作部２２Ｂは横に長い長方形であり、カバー１２に設けられた長方形の開口部からカバー１２上に突出している。
【００２３】
操作スイッチ２０Ｂの裏面には、原点復帰用のマグネット２３Ｂ，２３Ｂが両側部に位置して取付けられている。マグネット２３Ｂ，２３Ｂは、カバー１２に取付けられた図示されない磁性体に吸着されることにより、操作スイッチ２０Ｂを原点（操作部が上昇した状態）に保持する。操作部２２Ｂの中央部裏面には、後述するセンサを作動させるための板状の遮蔽部材２３Ｂが取付けられている。
【００２４】
操作スイッチ２０Ａは、Ｕ字形の操作スイッチ２０Ｂの内側に嵌合する略正方形の小型スイッチであり、後側の端部が前記支持軸２１に回動自在に連結されている。操作スイッチ２０Ａの前部は横長の操作部２２Ａである。操作部２２Ａは、操作部２２Ｂより横に短い長方形であって、カバー１２に設けられた長方形の開口部からカバー１２上に突出しており、操作部２２Ｂの後方に縦２段に配置されている。
【００２５】
操作スイッチ２０Ａの裏面には、原点復帰用のマグネット２３Ａが中央部に位置して取付けられている。マグネット２３Ａは、カバー１２に取付けられた図示されない磁性体に吸着されることにより、操作スイッチ２０Ａを原点（操作部が上昇した状態）に保持する。操作部２２Ａの側端部裏面には、後述するセンサを作動させるための板状の遮蔽部材２３Ａが取付けられている。
【００２６】
横に並ぶ操作スイッチ２０Ｃ〜２０Ｅは同じ構造であるので、中央の操作スイッチ２０Ｄについて主に説明する。
【００２７】
操作スイッチ２０Ｄは、ケース１０の縦方向の寸法とほぼ同じ長さをもつ縦長の樹脂成形体であり、後部が前記支持軸２１に回動自在に連結されている。操作スイッチ２０Ｄの前部は操作部２２Ｄである。操作部２２Ｄは横に長い長方形であり、カバー１２に設けられた長方形の開口部からカバー１２上に突出している。操作スイッチ２０Ｄには又、四角形の開口部２５Ｄが操作部２２Ｄの後方に位置して設けられている。開口部２５Ｄは表示手段４０Ｂをケース１０外に露出させるためのものである。
【００２８】
操作スイッチ２０Ｄの裏面には、原点復帰用のマグネット２３Ｄが中央部に位置して取付けられている。マグネット２３Ｄ、カバー１２に取付けられた図示されない磁性体に吸着されることにより、操作スイッチ２０Ｄを原点（操作部が上昇した状態）に保持する。操作部２２Ｄの中央部裏面には、後述するセンサを作動させるための板状の遮蔽部材２３Ｄが取付けられている。
【００２９】
操作スイッチ２０Ｃ，２０Ｅは前記操作スイッチ２０Ｄの左右に配置されており、個々の構造は操作スイッチ２０Ｄと同じであるので、同一部分については同一番号（ただし添字は操作スイッチ２０Ｃについては「Ｃ」、操作スイッチ２０Ｅについては「Ｅ」）を付して詳しい説明を省略する。
【００３０】
ケース１０内の基板３０は、横長の長方形のケース１０と略同一の形状であり、ケース１０の底板１１上に固定されている。基板３０の表面には、前述したとおり、操作スイッチＥの他、表示手段４０Ａ〜４０Ｃが実装されている。
【００３１】
操作スイッチ２０Ｆは、精算用の押しボタンスイッチであって、基板３０の左上に設けられており、ケースカバー１２の同じく左上に設けられた開口部１３を通して操作部がカバー上に突出している。
【００３２】
表示手段４０Ａ〜４０Ｃは、ケース１０内の中央部から右端部へかけて横に並んで配置されている。これらの表示手段のうち、表示手段４０Ａはクレジット数を表示するための７セグ表示器である。この表示手段４０Ａは、左側の操作スイッチ２０Ｃの裏側に配置されており、操作スイッチ２０Ｃに設けられた開口部２５Ｃ及びこれに対応してカバー１２に設けられた角形の覗き窓を通してケース１０外から視認可能とされている。
【００３３】
表示手段４０Ｂは、払出数を表示するための７セグ表示器であって、中央の操作スイッチ２０Ｄの裏側に配置されており、操作スイッチ２０Ｄに設けられた開口部２５Ｄ、及びこれに対応してカバー１２に設けられた角形の覗き窓を通してケース１０外から視認可能とされている。
【００３４】
表示手段４０Ｃは、横方向に３列に並んだＬＥＤ発光素子からなり、右側の操作スイッチ２０Ｅの裏側に配置されており、操作スイッチ２０Ｅに設けられた開口部２５Ｅ、及びこれに対応してカバー１２に設けられた角形の覗き窓を通してケース１０外から視認可能とされている。この表示手段４０Ｃは、その３列構成により、メダル投入枚数を表示する。具体的には１枚投入で左側のＬＥＤ点灯、２枚投入で中央のＬＥＤ点灯、３枚投入で右側のＬＥＤ点灯という具合である。この表示手段４０Ｃは又、全点灯、点滅等により、リプレイ、トラブル発生等も電光表示する。
【００３５】
基板３０の表面には、前記操作スイッチ２０Ｆ及び表示手段４０Ａ〜４０Ｃと共に、制御用主基板との接続コネクタ３１、各種入力端子３２〜３４、設定スイッチ３５及びセレクター接続用のコネクタ３６が実装されている。これらはケース１０の背面からケース外に露出している。
【００３６】
基板３０の表面には又、操作スイッチ２０Ａ〜２０Ｅにより操作されるセンサ３７Ａ〜３７Ｅが実装されている。センサ３７Ａ〜３７Ｅは、操作スイッチ２０Ａ〜２０Ｅの遮蔽部材２３Ａ〜２３Ｅにより開閉操作される光電センサであり、具体的には、操作スイッチ２０Ａ〜２０Ｅが押し下げ操作されないときは光が導通してオフ信号を発し、操作スイッチ２０Ａ〜２０Ｅが押し下げ操作されたときは、対応する遮蔽部材２３Ａ〜２３Ｅにより光路が遮断されてオン信号を発する構成である。
【００３７】
次に、本実施形態の遊技機用操作ユニットの機能について説明する。
【００３８】
前述したとおり、本実施形態の遊技機用操作ユニットは、回動式遊技機正面の中段部から下段部にかけての部分に操作部として形成された棚状突出部の上面凹部に嵌合される。この操作ユニットでは、全ての操作スイッチ２０Ａ〜２０Ｅが基板３０と共に密封ケース１０内に封入され、スイッチ裏側及び基板３０の両面もケース１０内に密封され保護されている。そして、密封ケース１０は破壊しない限り開くことができず、破壊した場合はその痕跡が明瞭に残る。したがって、操作部に対する不正行為が大変困難となり、事実上不可能となるので、そのセキュリティ度が飛躍的に向上する。すなわち、操作部に対して不正行為を行い得る箇所が数的に減少し、かつ難度が高まるのである。
【００３９】
回動式遊技機で遊技を行うときは、図示されないメダル投入口からメダルを投入して蓄積しておく。その蓄積数は表示手段４０Ａに表示される。３ベッドスイッチである操作スイッチ２０Ａの操作部２２Ａを押すと、メダル３枚が投入され、引き続いてスタートスイッチである操作スイッチ２０Ｂの操作部２２Ｂを押すと、図柄変動ゲームが始まる。すなわちドラムが回転を始める。このとき、操作スイッチ２０Ａの操作部２２Ａと操作スイッチ２０Ｂの操作部２２Ｂは大きく、特に横長く、縦方向に２段に並んでいるので、操作スイッチ２０Ａから操作スイッチ２０Ｂへ続く一連の操作を、スムーズに気持ちよく行うことができる。
【００４０】
ドラムを停止するときは、操作スイッチ２０Ｃ〜２０Ｄの操作部２２Ｃ〜２２Ｄを押し込み操作する。操作部２２Ｃ〜２２Ｄは大きく、特に横に長くて連続しているので、操作を簡単かつスムーズに行うことができる。
【００４１】
操作スイッチ２０Ａ〜２０Ｄは、いずれも共通の支持軸２１に後部を支持された傾動式（ピアノの鍵盤方式）であるので構造が簡単で経済的である。また、マグネット２３Ａ〜２３Ｄによる吸着力で原点（初期位置）に保持されているため、初期動作に大きな力が要り、動きだすと僅かの力でオン状態まで動作する。あたかもピアノの鍵盤のような高級クリック感がえられる。したがって、セキュリティ性ばかりでなく、経済性及び操作性も非常に良好である。
【図面の簡単な説明】
【００４２】
【図１】本発明の一実施形態を示す遊技機用操作ユニットの全体構造を示す斜視図である。
【図２】同操作ユニットの平面図である。
【図３】同操作ユニットのカバー外した状態の平面図で基板の正面図である。
【図４】同操作ユニットのカバーの底面図である。
【図５】図２中のＡ−Ａ線断面矢示図である。
【図６】図２中のＢ−Ｂ線断面矢示図である。
【符号の説明】
【００４３】
１０  密封ケース
１１  底板
１２  カバー
２０Ａ〜２０Ｅ  操作スイッチ
２１  支持軸
２２Ａ〜２２Ｅ  操作部
２３Ａ〜２３Ｅ  マグネット
２４Ａ〜２４Ｅ  遮蔽部材
２５Ｃ〜２４Ｅ  開口部
３０  基板
３１  制御用主基板との接続コネクタ
３２〜３４  各種入力端子
３５  設定スイッチ
３６  セレクター接続用のコネクタ
３７Ａ〜３７Ｅ  センサ
４０Ａ〜４０Ｃ  表示手段
【図１】
2008183189.tif 000003
【図２】
2008183189.tif 000004
【図３】
2008183189.tif 000005
【図４】
2008183189.tif 000006
【図５】
2008183189.tif 000007
【図６】
2008183189.tif 000008
【手続補正書】
【提出日】平成19年4月24日(2007.4.24)
【手続補正１】
【補正対象書類名】特許請求の範囲
【補正対象項目名】全文
【補正方法】変更
【補正の内容】
【特許請求の範囲】
【請求項１】
回動式遊技機の正面に形成された棚状突出部の上面凹部に嵌合されて使用される遊技機用操作ユニットにおいて、
底板とカバーが結合一体化され、前記カバーの天板部に複数の開口部が設けられた密封ケースと、
前記密封ケース内に上面から操作できるように取付けられ、前記開口部から突出した複数の操作スイッチと、
前記密封ケースの内底面に沿って設けられ、操作に関連する各種電子部品と複数の表示手段が実装された基板とを具備し、
前記複数の操作スイッチは、共通の支持軸により傾動可能に支持されており、
前記複数の操作スイッチの内、第一操作スイッチは、その内側に第二操作スイッチが組み合わされる角形の空間を形成するＵ字形に形成されており、その開放側の端部が前記支持軸に回動自在に連結され、反支持側部分の前部は前記開口部から上に突出しており、
前記第二操作スイッチは、前記第一操作スイッチの内側に嵌合し、その後側の端部が前記支持軸に回動自在に連結され、前側の操作部は前記開口部から上に突出していること、
を特徴とする遊技機用操作ユニット。
【手続補正２】
【補正対象書類名】明細書
【補正対象項目名】００１０
【補正方法】変更
【補正の内容】
【００１０】
上記目的を達成するために、本発明の遊技機用操作ユニットは、回動式遊技機の正面に形成された棚状突出部の上面凹部に嵌合されて使用される遊技機用操作ユニットにおいて、底板とカバーが結合一体化され、前記カバーの天板部に複数の開口部が設けられた密封ケースと、前記密封ケース内に上面から操作できるように取付けられ、前記開口部から突出した複数の操作スイッチと、前記密封ケースの内底面に沿って設けられ、操作に関連する各種電子部品と複数の表示手段が実装された基板とを具備し、前記複数の操作スイッチは、共通の支持軸により傾動可能に支持されており、前記複数の操作スイッチの内、第一操作スイッチは、その内側に第二操作スイッチが組み合わされる角形の空間を形成するＵ字形に形成されており、その開放側の端部が前記支持軸に回動自在に連結され、反支持側部分の前部は前記開口部から上に突出しており、前記第二操作スイッチは、前記第一操作スイッチの内側に嵌合し、その後側の端部が前記支持軸に回動自在に連結され、前側の操作部は前記開口部から上に突出していることを特徴とする。
【手続補正３】
【補正対象書類名】明細書
【補正対象項目名】００１８
【補正方法】変更
【補正の内容】
【００１８】
本実施形態の遊技機用操作ユニットは、スロットマシンと呼ばれる回動式遊技機の操作部として使用され、より具体的には、遊技機正面の中段部から下段部にかけての部分に操作部として形成された棚状突出部の上面凹部に嵌合されて使用される。この操作ユニットは、図１〜図３に示すように、樹脂からなる角型で横長の密封ケース１０と、密封ケース１０内にケース上面から操作できるように取付けられた複数の操作スイッチ２０Ａ〜２０Ｆと、密封ケース１０内にその内底面に沿って設けられた基板３０とを備えている。基板３０上には、操作に関連する各種電子部品の他に、複数の表示手段４０Ａ〜４０Ｃが実装されている。
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
回動式遊技機の正面に形成された棚状突出部の上面凹部に嵌合されて使用される遊技機用操作ユニットにおいて、
底板とカバーが結合一体化され、前記カバーの天板部に複数の開口部が設けられた密封ケースと、
前記密封ケース内に上面から操作できるように取付けられ、前記開口部から突出した複数の操作スイッチと、
前記密封ケースの内底面に沿って設けられ、操作に関連する各種電子部品と複数の表示手段が実装された基板とを具備し、
前記複数の操作スイッチは、共通の支持軸により傾動可能に支持されており、
前記複数の操作スイッチの内、第一操作スイッチは、その内側に第二操作スイッチが組み合わされる角形の空間を形成するＵ字形に形成されており、その開放側の端部が前記支持軸に回動自在に連結され、反支持側部分の前部は前記開口部から上に突出しており、
前記第二操作スイッチは、前記第一操作スイッチの内側に嵌合し、その後側の端部が前記支持軸に回動自在に連結され、前側の操作部は前記開口部から上に突出しており、
前記第一操作スイッチの裏面には、原点復帰用の第一マグネットが両側部に位置して取付けられ、
前記第二操作スイッチの裏面には、原点復帰用の第二マグネットが中央部に位置して取付けられ、
前記第一マグネット及び前記第二マグネットは、前記カバーに取付けられた磁性体に吸着されることにより、前記操作スイッチを原点に保持すること、
を特徴とする遊技機用操作ユニット。
【手続補正３】
【補正対象書類名】明細書
【補正対象項目名】００１０
【補正方法】変更
【補正の内容】
【００１０】
上記目的を達成するために、本発明の遊技機用操作ユニットは、回動式遊技機の正面に形成された棚状突出部の上面凹部に嵌合されて使用される遊技機用操作ユニットにおいて、底板とカバーが結合一体化され、前記カバーの天板部に複数の開口部が設けられた密封ケースと、前記密封ケース内に上面から操作できるように取付けられ、前記開口部から突出した複数の操作スイッチと、前記密封ケースの内底面に沿って設けられ、操作に関連する各種電子部品と複数の表示手段が実装された基板とを具備し、前記複数の操作スイッチは、共通の支持軸により傾動可能に支持されており、前記複数の操作スイッチの内、第一操作スイッチは、その内側に第二操作スイッチが組み合わされる角形の空間を形成するＵ字形に形成されており、その開放側の端部が前記支持軸に回動自在に連結され、反支持側部分の前部は前記開口部から上に突出しており、前記第二操作スイッチは、前記第一操作スイッチの内側に嵌合し、その後側の端部が前記支持軸に回動自在に連結され、前側の操作部は前記開口部から上に突出しており、前記第一操作スイッチの裏面には、原点復帰用の第一マグネットが両側部に位置して取付けられ、前記第二操作スイッチの裏面には、原点復帰用の第二マグネットが中央部に位置して取付けられ、前記第一マグネット及び前記第二マグネットは、前記カバーに取付けられた磁性体に吸着されることにより、前記操作スイッチを原点に保持することを特徴とする。